(57)【要約】  本発明は、主に、少なくとも１つの定容燃焼室（７）を備えるタービンエンジン燃焼室モジュール（４）に関する。前記モジュールは、前記少なくとも１つの定容燃焼室（７）の上流側に、前記少なくとも１つの定容燃焼室（７）に供給して前記少なくとも１つの定容燃焼室（７）の点火を可能にする高温燃焼ガスを生成可能な予燃焼室（６）をさらに備えることを特徴とする。
2018521261.tif 000002
【特許請求の範囲】
【請求項１】
少なくとも１つの定容燃焼式燃焼室（７）を含むターボ機械燃焼室モジュール（４）であって、前記少なくとも１つの定容燃焼式燃焼室（７）の上流側に、前記少なくとも１つの定容燃焼式燃焼室（７）に供給して前記少なくとも１つの定容燃焼式燃焼室（７）の点火を可能にする高温燃焼ガスを生成可能な予燃焼室（６）をさらに含むことを特徴とする、ターボ機械燃焼室モジュール。
【請求項２】
予燃焼室（６）が、定圧燃焼式であることを特徴とする、請求項１に記載のモジュール。
【請求項３】
予燃焼室（６）が、主に一酸化炭素（ＣＯ）および二水素（Ｈ２）の燃焼ガスを生成するように構成されることを特徴とする、請求項１または２に記載のモジュール。
【請求項４】
予燃焼室（６）の下流側かつ前記少なくとも１つの定容燃焼式燃焼室（７）の上流側に、前記少なくとも１つの定容燃焼式燃焼室（７）に供給して前記少なくとも１つの定容燃焼式燃焼室（７）の点火を可能にする高温燃焼ガスの二水素（Ｈ２）の比率を特に増加させることができる酸化触媒モジュールをさらに含むことを特徴とする、請求項１〜３のいずれか一項に記載のモジュール。
【請求項５】
ターボ機械の回転軸線（Ｔ）の周囲に分布された複数の定容燃焼式燃焼室（７）を含むことを特徴とする、請求項１〜４のいずれか一項に記載のモジュール。
【請求項６】
予燃焼室（６）が、回転式分配器型システム（８）を介して定容燃焼式燃焼室（７）に高温燃焼ガスを供給する、請求項５に記載のモジュール。
【請求項７】
請求項１〜６のいずれか一項に記載の燃焼室モジュール（４）を含むことを特徴とする、ターボ機械。
【発明の詳細な説明】
【技術分野】
【０００１】
本発明は、ターボ機械の分野に関し、より詳細には、定容燃焼式ターボ機械燃焼室の分野に関する。
【０００２】
本発明は、任意のタイプの陸上または航空機のターボ機械、および例えばターボジェットエンジンやターボプロップエンジンなどの航空機ターボ機械に適用可能である。
【０００３】
より正確には、予燃焼室を含む定容燃焼式ターボ機械燃焼室、およびそのような燃焼室モジュールを含むターボ機械に関する。
【背景技術】
【０００４】
従来、ターボ機械燃焼室は、いわゆる定圧燃焼を伴うブレイトン（Ｂｒａｙｔｏｎ）熱力学サイクルに従って作動する。
【０００５】
しかしながら、特定の消費量増加に対しては、ブレイトンサイクル燃焼室を、いわゆる定積プロセスを実施する定容燃焼または「ＣＶＣ」を伴うハンフリー（Ｈｕｍｐｈｒｅｙ）熱力学サイクル燃焼室に置き換えることが考えられてきた。
【０００６】
一例として、仏国特許出願公開第２９４５３１６号明細書には、ＣＶＣ型の燃焼室の製造について記載されている。この燃焼室は、入力部に、開放位置と閉鎖位置との間で切り替え可能な圧縮ガス吸気弁を備え、出力部には、同様に開放位置と閉鎖位置との間で切り替え可能な燃焼ガス排気弁を含む。ハンフリーサイクルの３つの連続する段階、すなわち吸気−燃焼−排気を実施するために、弁の位置は同期して駆動される。
【０００７】
実施されたプロセスは定積プロセスであるため、ハンフリーサイクルは、物理的に閉じ込められた容積内で一定期間負荷を維持することを意味する。この動作モードは、パルス状態を誘導する。実際に、圧縮機からの空気は、燃焼室の内部に取り込まれる。次に、カムが閉じられた後、スパークが燃焼室内で燃焼を開始する。この燃焼が終了すると、動力を発生させるために高温ガスをタービンに逃がす、または空気力学的圧力を生成するために高温ガスを直接ノズルに逃がすように、燃焼室が開放される。
【０００８】
より具体的には、ハンフリーサイクル燃焼室の定容燃焼プロセスは、火炎前面の伝播によって燃焼を引き起こすことができるように、各燃焼サイクルへのエネルギー入力を必要とする。特に、そのような燃焼は、経時的に繰り返される大きなエネルギーを必要とする。
【０００９】
ＣＶＣ型燃焼室の点火に必要なエネルギーを供給することを目的とした現在の解決策の中で、電気アーク点火システムによる点火を生成する解決法が知られている。しかし、そのような解決策は、堅牢で冗長なシステムの使用を意味する。以前の燃焼サイクルの燃焼ガスまたは近接したまたは隣接する燃焼チャンバの燃焼ガスを使用する解決策も知られている。しかしながら、そのようなシステムは非常に管理が複雑であり、燃焼システムの本質的な能力を低下させ得る。したがって、現在の解決策は完全に満足できるものではない。
【先行技術文献】
【特許文献】
【００１０】
【特許文献１】仏国特許出願公開第２９４５３１６号明細書
【発明の概要】
【発明が解決しようとする課題】
【００１１】
したがって、本発明の１つの目的は、先行技術の実施形態に関連する上述の必要性および欠点の少なくとも一部を克服することである。
【００１２】
特に、本発明は、定容燃焼式ターボ機械燃焼室の点火に必要なエネルギー入力の代替解決策を提供することを目的とする。
【課題を解決するための手段】
【００１３】
本発明の１つの目的は、本発明の態様の１つによれば、少なくとも１つの定容燃焼式燃焼室を含むターボ機械燃焼室モジュールであって、前記少なくとも１つの定容燃焼式燃焼室の上流側に、前記少なくとも１つの定容燃焼式燃焼室に供給して前記少なくとも１つの定容燃焼式燃焼室の点火を可能にする高温燃焼ガスを生成可能な予燃焼室をさらに含むことを特徴とするターボ機械燃焼室モジュールである。
【００１４】
本発明によれば、本発明の燃焼モジュールのＣＶＣ型燃焼室（単数または複数）の上流側に、予燃焼室を介して、ＣＶＣ型燃焼室（単数または複数）の点火に必要なエネルギーを供給する高温ガスを生成することが可能である。特に、本発明は、いわゆる「厳しい」運転条件下で、特に、低温および高高度の場合に、ＣＶＣ型燃焼室（単数または複数）の点火を可能にするための所望の容量を提供することを可能にし得る。したがって、本発明は、エンジンの不安定化を制限し、エンジン効率を最適化するために、１つまたは複数のＣＶＣ型燃焼室の熱点火のための特定のシステムを、ターボ機械燃焼モジュール上に組み込むことを可能にし得る。
【００１５】
本発明の燃焼室モジュールは、単独で、または任意の技術的に可能な組み合わせに従って、以下の特徴の１つまたは複数をさらに含み得る。
【００１６】
有利には、予燃焼室は、定圧燃焼型であり、定圧プロセスを実施する。
【００１７】
前記少なくとも１つの燃焼室は、ＣＶＣ型燃焼室であるので、有利には、開放位置と圧縮ガス吸気を妨害する閉鎖位置とをとることができる圧縮ガス吸気弁を含み、さらに、開放位置とチャンバの外側への燃焼ガス排気を妨害する閉鎖位置とをとることができる燃焼ガス排気弁をさらに含む。
【００１８】
一方、優先的には、予燃焼室は、主に一酸化炭素および二水素の燃焼ガスを生成するように構成される。
【００１９】
さらに、１つの代替形態によれば、本発明のモジュールは、予燃焼室の下流側かつ前記少なくとも１つの定容燃焼式燃焼室の上流側に、前記少なくとも１つの定容燃焼式燃焼室に供給して定容燃焼式燃焼室の点火を可能にする高温燃焼ガスの二水素の比率を特に増加させることができる酸化触媒モジュールを含み得る。
【００２０】
優先的には、本発明のモジュールは、ターボ機械の回転軸線の周囲に分布された複数の定容燃焼式燃焼室を含む。
【００２１】
また、予燃焼室は、回転式分配器型システムを介して、定容燃焼式燃焼室に高温燃焼ガスを供給し得る。
【００２２】
さらに、本発明の１つの目的は、別の態様によれば、上で規定した燃焼室モジュールを含むことを特徴とするターボ機械を提供することである。
【００２３】
本発明の燃焼室モジュールおよびターボ機械は、単独で、または他の特性との技術的に可能な任意の組み合わせに従って、上述した特性のいずれかを含み得る。
【００２４】
本発明は、限定的でない例示的な実施形態の以下の詳細な説明を読み、さらに添付図面の概略図および部分図を調べることで、よりよく理解できるであろう。
【図面の簡単な説明】
【００２５】
【図１】本発明の例示的な定容燃焼式燃焼室を含むターボジェットエンジンガス発生器の側面概略図である。
【図２】図１の燃焼室モジュールの正面概略図である。
【発明を実施するための形態】
【００２６】
これらの図面を通して、同一の参照符号は同一または類似の要素を示し得る。
【００２７】
さらに、図面に表されている異なる部品は、図をより読みやすくするために必ずしも均一な縮尺で描かれていない。
【００２８】
説明全体を通して、上流側および下流側という用語は、ターボ機械の（上流側から下流側への）ガスの主な正常な流れ方向Ｆに関して考慮されるべきであることに留意されたい。一方、ターボ機械の軸線Ｔは、ターボ機械の半径方向の対称軸を意味する。ターボ機械の軸方向は、ターボ機械の軸線Ｔの方向に対応する。ターボ機械の半径方向は、ターボ機械の軸線Ｔに垂直な方向である。さらに、特に指示しない限り、軸方向、半径方向、軸方向に、および半径方向にという形容詞および副詞は、上述の軸方向および半径方向に関して使用される。
【００２９】
図１を参照すると、本発明の例示的な定容燃焼ＣＶＣ型燃焼室モジュール４を含む航空機ターボ機械用ガス発生器１（好ましくは、ターボジェットエンジン）の例示的な実施形態の側面概略図が示されている。
【００３０】
ガス発生器１は、従来、上流側から下流側に向かって、１つまたは複数の圧縮機モジュール２、燃焼室モジュール４、および１つまたは複数のタービンモジュール３を含む。通常、圧縮機モジュール２およびタービンモジュール３は、航空機ターボ機械のレシーバ、例えば、ターボジェットエンジンの場合にはファン（図示せず）を駆動するシャフトシステム５によって接続される。
【００３１】
本発明によれば、燃焼室モジュール４は、複数のＣＶＣ型燃焼室７を含み、その上流側に、ＣＶＣ型燃焼室７に供給してＣＶＣ型燃焼室７の点火を可能にする高温燃焼ガスを生成可能な予燃焼室６を含む。
【００３２】
有利には、予燃焼室６は定圧燃焼式である。予燃焼室６は、ＣＶＣ型燃焼室７の上流側に高温ガスジェットを生成して、ＣＶＣ型燃焼室７の点火に必要なエネルギーを供給する。
【００３３】
定圧予燃焼室６は、一酸化炭素ＣＯおよび二水素Ｈ２が主にドープされた燃焼ガスを生成するために、特に、リッチ運転において使用される。このようにして、これらのガスは主ＣＶＣ型燃焼室７の点火を導き、低ＣＯおよびＨ２豊富な状態で生成された燃焼ガスの使用に関する燃焼開始遅延の低減を助長する。
【００３４】
図２は、図１の燃焼室モジュール４をターボ機械の回転軸線Ｔに対して横断方向に示した正面概略図である。
【００３５】
この図２からわかるように、ＣＶＣ型の複数の燃焼室７は、エンジン軸線Ｔを中心とするシャフトシステム５の周囲に均等に分布している。
【００３６】
ＣＶＣ型燃焼室７は、例えば、４つ設けられているが、この数に限定されるものではない。ＣＶＣ型燃焼室７は全て、優先的には、同一である。
【００３７】
さらに、これらのＣＶＣ型燃焼室７の数は、優先的には、偶数であり、そのうちの１つに異常が生じた場合に、２つの正反対の燃焼室バレルを中立状態にすることができ、したがってタービンの入力部における流れの非対称性を回避することができる。
【００３８】
実際に、ＣＶＣ型燃焼室７は、ターボ機械の作動時に、好ましくはエンジンケーシングに対して固定された状態を保持することによって、いわゆるバレル構成で配置される。
【００３９】
各燃焼室７は、ハンフリーサイクルの３つの連続する段階、すなわち吸気−燃焼−排気を実現するために、２つの同期した吸気弁および排気弁によって、両端が閉じられるＣＶＣ型である。ＣＶＣ型燃焼室７は、同一であっても、ハンフリーサイクルの実施に関して、意図的に、互いに位相シフトされることが好ましい。一例として、吸気段階にある所与の燃焼室は、燃焼段階の別の燃焼室に隣接し得るなどである。
【００４０】
一方、図２に示されているように、定圧予燃焼室６は、回転式分配器型システム８を介してＣＶＣ型燃焼室７に高温燃焼ガスを供給し、このことにより、図２の矢印Ｄで示されているように、高温ガスをＣＶＣ型燃焼室７に分配することができる。
【００４１】
また、図示されていないが、予燃焼室６の下流側かつＣＶＣ型燃焼室７の上流側に、酸化触媒モジュールを使用することも可能である。したがって、この酸化触媒は、予燃焼室６の出口に位置し、ＣＶＣ型燃焼室７に供給する高温燃焼ガスの二水素Ｈ２の比率を特に増加させることができ、ＣＶＣ型燃焼室７の点火を可能にする。実際に、残留ガスによる希釈に対する燃焼システムの耐性を助長するには、二水素の比率を高くすることが知られている。したがって、提供されるシステム全体の信頼性を向上させることができる。
【００４２】
当然、本発明は、上で説明した例示的な実施形態に限定されない。当業者によって、上述の実施形態に様々な修正が加えられ得る。
【００４３】
「１つを含む」という用語は、特に明記しない限り、「少なくとも１つを含む」と同義であると理解すべきである。
【図１】
2018521261.tif 000003
【図２】
2018521261.tif 000004
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
ターボ機械燃焼室モジュール（４）であって、
ターボ機械の回転軸線（Ｔ）の周囲に分布された複数の定容燃焼式燃焼室（７）と、
前記複数の定容燃焼式燃焼室（７）の上流側に、前記複数の定容燃焼式燃焼室（７）に供給して前記複数の定容燃焼式燃焼室（７）の点火を可能にする高温燃焼ガスを生成可能な予燃焼室（６）と、
を備え、
予燃焼室（６）は、回転式分配器型システム（８）を介して定容燃焼式燃焼室（７）に高温燃焼ガスを供給することを特徴とする、ターボ機械モジュール。
【請求項２】
予燃焼室（６）が、定圧燃焼式であることを特徴とする、請求項１に記載のモジュール。
【請求項３】
予燃焼室（６）が、主に一酸化炭素（ＣＯ）および二水素（Ｈ２）の燃焼ガスを生成するように構成されることを特徴とする、請求項１または２に記載のモジュール。
【請求項４】
予燃焼室（６）の下流側かつ前記複数の定容燃焼式燃焼室（７）の上流側に、前記複数の定容燃焼式燃焼室（７）に供給して前記複数の定容燃焼式燃焼室（７）の点火を可能にする高温燃焼ガスの二水素（Ｈ２）の比率を特に増加させることができる酸化触媒モジュールをさらに含むことを特徴とする、請求項１〜３のいずれか一項に記載のモジュール。
【請求項５】
請求項１〜４のいずれか一項に記載の燃焼室モジュール（４）を含むことを特徴とする、ターボ機械。
【国際調査報告】
2018521261.tif 000005
2018521261.tif 000006
2018521261.tif 000007
2018521261.tif 000008
2018521261.tif 000009
2018521261.tif 000010